(57)【要約】【課題】  球補給樋からの球通路の球出口部の固定枠に対する取付位置精度を良くできて当該球出口部と開閉枠に取付けられる球通路の球入口部との合わせを良くできる遊技機枠を提供する。【解決手段】  固定枠７と開閉枠１０とを備え、固定枠の上下のヒンジ部材に開閉枠の上下のヒンジ部材が取付けられて開閉枠が固定枠に対してヒンジ支点を回転中心として片開き開閉可能に取付けられた遊技機枠において、遊技機設置設備に取付けられた球補給樋２からの球通路（球供給管４）を取付けるための取付部６Ｂを備えた取付装置６が横位置合わせ部６Ｘと前後位置合わせ部６Ｙとを有し、横位置合わせ部６Ｘが固定枠７の上ヒンジ部材８に接触し、前後位置合わせ部６Ｙが固定枠７の上板１６の前縁面又は後縁面に接触することで、取付装置６が固定枠７の上板１６に取付けられたものとした。【選択図】        図１
2005087479.tif 000002
【特許請求の範囲】
【請求項１】
固定枠と開閉枠とを備え、固定枠の上下のヒンジ部材に開閉枠の上下のヒンジ部材が取付けられて開閉枠が固定枠に対してヒンジ支点を回転中心として片開き開閉可能に取付けられた遊技機枠において、遊技機設置設備に取付けられた球補給樋からの球通路を取付けるための取付部を備えた取付装置が横位置合わせ部と前後位置合わせ部とを有し、横位置合わせ部が固定枠の上ヒンジ部材に接触し、前後位置合わせ部が固定枠の上板の前縁面又は後縁面に接触することで、取付装置が固定枠の上板に取付けられたことを特徴とする遊技機枠。
【請求項２】
上ヒンジ部材が固定枠の上板下面より下方に突出する位置決め部を有し、この位置決め部に横位置合わせ部を接触させた状態で取付装置が固定枠の上板下面に取付けられたことを特徴とする請求項１記載の遊技機枠。
【請求項３】
開閉枠の裏面に球樋が設けられ、取付部が球通路の球出口部を開閉枠の球樋の球入口部に導くように形成されたホルダを備えたことを特徴とする請求項１又は請求項２に記載の遊技機枠。
【請求項４】
固定枠と開閉枠とを備え、固定枠の上下のヒンジ部材に開閉枠の上下のヒンジ部材が取付けられて開閉枠が固定枠に対してヒンジ支点を回転中心として片開き開閉可能に取付けられた遊技機枠において、遊技機設置設備に取付けられた補給計数装置の球出口部に接続される球通路を取付けるための取付部を備えた取付装置が固定枠の上板に取付けられ、取付装置が取付部の位置を前後左右に調整するための位置調整手段を備えたことを特徴とする遊技機枠。
【請求項５】
開閉枠の裏面に球樋が設けられ、取付部が球通路の球出口部を開閉枠の球樋の球入口部に導くように形成されたホルダを備え、ホルダが球通路の球出口部近傍を保持する下ホルダとこの下ホルダと離間して設けられて球通路の球出口部近傍より上流側を保持する上ホルダとを備えたことを特徴とする請求項４記載の遊技機枠。
【請求項６】
位置調整手段が前後移動可能な前後移動部材と横移動可能な横移動部材とを備え、前後移動部材あるいは横移動部材に上ホルダが取付けられ、前後移動部材あるいは横移動部材の一方に他方を移動可能に取付ける取付手段を備え、取付装置が一方を移動可能に取付ける取付手段を備えたことを特徴とする請求項５記載の遊技機枠。
【請求項７】
上ホルダが球通路を固定する固定部を備えたことを特徴とする請求項５又は請求項６に記載の遊技機枠。
【請求項８】
取付部が当該取付部に取付けられた球通路の球出口部の下方にシャッタを備え、固定枠に対して開閉枠が閉じられた場合に開閉枠に設けられた球樋がシャッタを押圧して当該球樋の球入口部が球出口部の下方に連なる一方、固定枠に対して開閉枠が開かれた場合にシャッタにより球出口部と球入口部との間が塞がれるよう構成されたことを特徴とする請求項３又は請求項５に記載の遊技機枠。
【請求項９】
球樋が開閉枠の裏面の側部において上下に一直線状に延長するように設けられたことを特徴とする請求項３又は請求項５又は請求項８に記載の遊技機枠。
【請求項１０】
開閉枠には球樋を経由して流れてくる球を計数する球計数器と遊技機の制御装置とが設けられたことを特徴とする請求項３又は請求項５又は請求項８又は請求項９に記載の遊技機枠。
【発明の詳細な説明】
【技術分野】
【０００１】
この発明はパチンコ機等の遊技機の遊技機枠に関する。
【背景技術】
【０００２】
「島」と呼ばれる遊技機設置設備の球補給樋に接続された球供給管を介して遊技機設置設備に設置された補給計数装置に球が送られて、補給計数装置から遊技機の裏側に設けられた貯留タンクに球が供給され、貯留タンクから整列タンクを介して遊技機の払出機構に球が供給される。この場合、球は球通路としての球供給管を介して貯留タンクまで一列で供給されるにもかかわらず、貯留タンク内ではばらばらになり、単列又は複列の整列タンクで再び一列となって払出機構に供給される。従って、整列タンク内で球つまりが生じてしまう。そこで、球補給樋に接続された球通路としての球供給管を払出機構の入口に接続することにより、貯留タンク及び整列タンクを無くして、整列タンク内での球づまりを解消したものが知られている。即ち、球供給管の球出口部を取付けるためのホルダ（取付部）が固定枠の側板の内面に設けられた遊技機枠が知られている（例えば、特許文献１参照）。これは図１７に示すように、固定枠１００の左側板１０１（遊技者側から見た場合に左に位置する側板）の上下間の中央付近における内面１０２に、球補給樋に接続された球通路としての球供給管１０３の球出口部１０４を取付けるためのホルダ１０５と、球出口部１０４から流下してくる球を計数する球計数器１０６を備えた払出機構１０６Ａとが設けられている。上下ヒンジ１０７，１０８を介して固定枠１００に片開き可能に取付けられた開閉枠１０９には、払出機構１０６Ａの球計数器１０６で計数された球を受ける球樋１１０が設けられ、この球樋１１０を介して遊技機の前面に設けられた図外の皿に球が払い出される。開閉枠１０９が開かれると球出口部１０４と払出機構１０６Ａの球入口部１１１との間に設けられたシャッタ１１２が図外のばねによる復元力で球出口部１０４と球計数器１０６の球入口部１１１との間を塞ぐので、払出機構１０６Ａへ球が流れなくなる一方、開閉枠１０９が閉じられると払出機構１０６Ａの球出口部１１４の下方に球樋１１０の球入口部１１５が連なるとともにシャッタ１１２が受圧片１１３を介して開閉枠１０９に押されて球出口部１０４と払出機構１０６Ａの球入口部１１１との間が開通されるので球補給樋から球供給管１０３、球出口部１０４、球入口部１１１、払出機構１０６Ａ、球出口部１１４、球入口部１１５、球樋１１０を経由する皿までの球流下経路が構成される。
また球補給樋に接続された球通路としての球供給管の球出口部を島の横梁に取付けられている補給計数装置に取付け、補給計数装置の球出口部の下方に開閉枠に設けられた球樋の球入口部を連ならせるようにした遊技機枠が知られている（例えば、特許文献２参照）。
【特許文献１】特開平６−３１０４９号公報
【特許文献２】実用新案登録公報第２５２６８０３号
【発明の開示】
【発明が解決しようとする課題】
【０００３】
遊技機枠は固定枠１００と開閉枠１０９とから構成され、遊技者から見て開閉枠１０９の左側の上下には開閉枠側ヒンジ部材が取付けられ、これら開閉枠側ヒンジ部材が固定枠１００の左側の上下に設けられた固定枠側ヒンジ部材に取付けられて成る。そして、遊技機の各種遊技部品の設置位置は開閉枠側上ヒンジ部材が取付けられる固定枠側上ヒンジ部材のヒンジ支点を基準にして決められる。
特許文献１では、固定枠１００の左側板１０１の内面１０２に、球補給樋からの球供給管１０３の球出口部１０４を取付けるためのホルダ１０５（取付部）を設けており、ホルダ１０５の位置が上記固定枠側上ヒンジ部材から離れている。従って、上記基準に対するホルダ１０５の取付位置精度が悪くなるため、固定枠１００に取付けられた球通路の球出口部（特許文献１では払出機構１０６Ａの球出口部１１４）と開閉枠１０９に取付けられた球通路の球入口部（特許文献１では球樋１１０の球入口部１１５）との合わせが悪くなる。
また、遊技機設置設備（島）に取付けられる各遊技機枠に対応して遊技機設置設備の横梁に取付けられている補給計数装置の遊技機枠に対する取付位置はばらばらである。従って、特許文献２では、補給計数装置の球出口部と開閉枠に設けられた球樋の球入口部とが合わなければ、球補給樋に接続された球通路を介して送られてくる球を開閉枠に設けられた球樋に送ることができないので、補給計数装置を取付け直さなくてはならない。
本発明は、球補給樋からの球通路の球出口部の固定枠に対する取付位置精度を良くできて当該球出口部と開閉枠に取付けられる球通路の球入口部との合わせを良くできる遊技機枠を提供することを目的とする。
また、補給計数装置を取付け直すことなく、補給計数装置の球出口部に連ならせる球通路の球入口部の位置を補給計数装置の球出口部に簡単に合わせることができる遊技機枠を提供することを目的とする。
【課題を解決するための手段】
【０００４】
本発明の請求項１の遊技機枠は、固定枠と開閉枠とを備え、固定枠の上下のヒンジ部材に開閉枠の上下のヒンジ部材が取付けられて開閉枠が固定枠に対してヒンジ支点を回転中心として片開き開閉可能に取付けられた遊技機枠において、遊技機設置設備に取付けられた球補給樋からの球通路を取付けるための取付部を備えた取付装置が横位置合わせ部と前後位置合わせ部とを有し、横位置合わせ部が固定枠の上ヒンジ部材に接触し、前後位置合わせ部が固定枠の上板の前縁面又は後縁面に接触することで、取付装置が固定枠の上板に取付けられたものとした。
請求項２は、上ヒンジ部材が固定枠の上板下面より下方に突出する位置決め部を有し、この位置決め部に横位置合わせ部を接触させた状態で取付装置が固定枠の上板下面に取付けられたものとした。
請求項３は、開閉枠の裏面に球樋が設けられ、取付部が球通路の球出口部を開閉枠の球樋の球入口部に導くように形成されたホルダを備えた。
請求項４は、固定枠と開閉枠とを備え、固定枠の上下のヒンジ部材に開閉枠の上下のヒンジ部材が取付けられて開閉枠が固定枠に対してヒンジ支点を回転中心として片開き開閉可能に取付けられた遊技機枠において、遊技機設置設備に取付けられた補給計数装置の球出口部に接続される球通路を取付けるための取付部を備えた取付装置が固定枠の上板に取付けられ、取付装置が取付部の位置を前後左右に調整するための位置調整手段を備えた。
請求項５は、開閉枠の裏面に球樋が設けられ、取付部が球通路の球出口部を開閉枠の球樋の球入口部に導くように形成されたホルダを備え、ホルダが球通路の球出口部近傍を保持する下ホルダとこの下ホルダと離間して設けられて球通路の球出口部近傍より上流側を保持する上ホルダとを備えた。
請求項６は、位置調整手段が前後移動可能な前後移動部材と横移動可能な横移動部材とを備え、前後移動部材あるいは横移動部材に上ホルダが取付けられ、前後移動部材あるいは横移動部材の一方に他方を移動可能に取付ける取付手段を備え、取付装置が一方を移動可能に取付ける取付手段を備えた。
請求項７は、上ホルダが球通路を固定する固定部を備えた。
請求項８は、取付部が当該取付部に取付けられた球通路の球出口部の下方にシャッタを備え、固定枠に対して開閉枠が閉じられた場合に開閉枠に設けられた球樋がシャッタを押圧して当該球樋の球入口部が球出口部の下方に連なる一方、固定枠に対して開閉枠が開かれた場合にシャッタにより球出口部と球入口部との間が塞がれるよう構成された。
請求項９は、球樋が開閉枠の裏側の側部において上下に一直線状に延長するように設けられた。
請求項１０は、開閉枠には球樋を経由して流れてくる球を計数する球計数器と遊技機の制御装置とが設けられた。
【発明の効果】
【０００５】
請求項１によれば、球補給樋からの球通路の球出口部の固定枠に対する取付位置精度を良くできて当該球出口部と開閉枠に取付けられる球通路の球入口部との合わせを良くできる。
請求項２によれば、固定枠の上面と遊技機設置設備との間の隙間をなくすことができ、固定枠の上面と遊技機設置設備との間の隙間を介した不正行為を防止できる。
請求項３によれば、球樋の球入口部の位置を自由に設定できる。例えば、開閉枠のヒンジ部材が設けられた側とは反対側の側部に球樋を設けることが可能となる。
請求項４によれば、補給計数装置を取付け直すことなく、補給計数装置の球出口部に連ならせる球通路の球入口部の位置を補給計数装置の球出口部に簡単に合わせることができる。
請求項５によれば、球樋の球入口部の位置を自由に設定できるとともに、球通路の道程を自由に設定できるようになり、また、ホルダを構成する部材を少なくできるので、材料費を削減できる。
請求項６によれば、前後移動部材と横移動部材とを個別に調整することで上ホルダの前後位置と横位置とを個別に調整できるので、上ホルダの前後左右位置の調整が容易になる。
請求項７によれば、上ホルダから補給計数装置の球出口部までの距離に合わせて球通路の長さを調整できて補給計数装置の球出口部に球通路を確実に接続できる。即ち、球通路の上下位置調整が行える。
請求項８によれば、球樋でシャッタの開閉を直接的に行うことができることから、シャッタの受圧片を短くできるので、シャッタを小型化できるとともにシャッタの耐久性が向上し、動作信頼性の高い遊技機枠が得られる。
請求項９によれば、開閉枠の裏側の中央部分の遊技部品搭載スペースに多くの遊技部品を搭載することが可能となる。
請求項１０によれば、球計数器と制御装置との信号配線が開閉枠の開閉の際に邪魔になったり断線したりするようなことがなくなる。
【発明を実施するための最良の形態】
【０００６】
実施形態１
図１は本発明の実施形態１による遊技機枠において開閉枠を閉じた状態を遊技機枠の裏側から見た斜視図、図２は開閉枠を開いた状態を遊技機枠の裏側から見た斜視図、図３は固定枠と固定枠に取付けられるヒンジ部材との関係を固定枠の前側から見た分解斜視図、図４は開閉枠と開閉枠に取付けられるヒンジ部材との関係を開閉枠の裏側から見た分解斜視図、図５は取付装置の斜視図、図６は取付装置が取付けられた固定枠を裏側から見た図、図７は位置決め部の拡大図、図８は位置調整手段の分解斜視図、図９は取付装置の平面図、図１０は取付装置の底面図、図１１は図９のＡ−Ａ断面図、図１２は図９のＢ−Ｂ断面図、図１３は開閉枠が閉じられた状態における球出口部と球入口部とシャッタとの関係を示す側面図、図１４は開閉枠が開かれた状態における球出口部と球入口部とシャッタとの関係を示す側面図である。
【０００７】
遊技機設置設備の球補給樋２に設けられたシュート３には蛇腹状あるいはコイルスプリング状等に形成された球通路としての球供給管４が接続されている。
実施形態１の遊技機枠１は、図１，２に示すように、上記球供給管４を取付けるための取付部６Ｂを備えた取付装置６が固定枠７の上板１６に取付けられたものである。取付装置６は横位置合わせ部６Ｘと前後位置合わせ部６Ｙとを有し（図５参照）、横位置合わせ部６Ｘを固定枠７の上ヒンジ部材８に設けられた位置決め部８Ｘ（図６，７参照）に接触させ、前後位置合わせ部６Ｙを固定枠７の上板１６の前縁面１６Ｙに接触させた状態で取付装置６が取付孔６ｎを介して固定枠７の上板１６の下面１６ｕに図外の止めねじ等で取付けられている。即ち、遊技機の各種遊技部品の設置位置の基準となる遊技機枠１の上ヒンジ支点９を形成する固定枠７の上ヒンジ部材８に設けられた位置決め部８Ｘ及び固定枠７の上板１６の前縁面１６Ｙに対して取付装置６が位置決めされた状態で固定枠７の上板１６の下面１６ｕに取付けられているので、取付装置６の取付部６Ｂに取付けられる球供給管４の球出口部５の固定枠７に対する取付位置精度を良くでき、球出口部５と開閉枠１０に取付けられた球樋１１の球入口部１２との合わせを良くできる。
【０００８】
固定枠７は、図３に示すように、下板１３、左右側板１４，１５、上板１６を組み合わせて額縁状の枠１７に組まれた後、この枠１７の角内側にＬ型金具１８が取付孔１９，２０，２０ａ及び止めねじ２１により取付けられており、下板１３の両端と左右側板１４，１５の下端、および上板１６の両端と左右側板１４，１５の上端とが互いに正確に９０度の角度を保って連結され、このように組付けられた枠１７の下端前面には幕板２２が取付けられ、幕板２２の左端側及び左側板１４の下端側には下ヒンジ部材２３が取付孔２４，２５及び止めねじ２６により取付けられ、枠１７の左角上部には上ヒンジ部材８が取付けられて成る。
【０００９】
上ヒンジ部材８は金属板より形成されたものであって、上板１６の上面３１の左端に形成された凹部面３２に接する水平面部３３と、左側板１４の外面３４の上端に形成された凹部面３５に接する垂直面部３６と、水平面部３３の右端縁３７の前後中央位置より下方に垂直に延長する垂下片より形成された位置決め部８Ｘと、水平面部３３の前側に設けられたヒンジ部４１とを備える。上板１６の上面３１と凹部面３２との境界には上から位置決め部８Ｘを挿入して位置決め部８Ｘを上板１６の下面１６ｕより下方に突出させる位置合わせ片挿入孔３９が形成されている。従って、位置決め部８Ｘを位置合わせ片挿入孔３９に挿入して凹部面３２に水平面部３３を接触させ、凹部面３５に垂直面部３６を接触させ、上ヒンジ部材８とＬ型金具１８とで枠１７の左角部を挟み込んだ状態で取付孔１９，２０，２０ａ及び止めねじ２１で上ヒンジ部材８とＬ型金具１８とが互いに連結されることで上ヒンジ部材８が枠１７の左角外面に取付けられ、ヒンジ部４１は枠１７の前面１７ａより前側に突出する。このヒンジ部４１に後述する開閉枠側上ヒンジ部材のヒンジ部が着脱可能に取付けられる。尚、上ヒンジ部材８は凹部面３２，３５により上板１６の上面３１と水平面部３３及び左側板１４の外面３４と垂直面部３６とが同一面となるように枠１７の左角外面に取付けられているので、固定枠７の上面３１と固定枠７が取付けられる遊技機設置設備との間の隙間を小さくでき、当該隙間を介して不正行為が行われにくいように構成されている。
【００１０】
開閉枠１０は、図４に示すように、方形な前側開口５０が形成されこの前側開口５０を囲む格好の額縁状の開閉枠本体５１と、前側開口５０と対応する後側開口５２を有する裏機構板５３と備える。この裏機構板５３は開閉枠本体５１の裏面５４に周縁５５が固定され、この裏機構板５３と開閉枠本体５１との間で形成される遊技盤収納部５６に図外の遊技盤が収納される。開閉枠本体５１の遊技者側から見た上左角部の裏面５４には上ヒンジ部材６０が取付孔６１，６２及び止めねじ６３により取付けられ、開閉体本体５１の下左角部の裏面５４には下ヒンジ部材６４が取付孔６５，６６及び止めねじ６７により取付けられている。
【００１１】
開閉枠１０の下ヒンジ部材６４にはピン支持孔６８が設けられ、固定枠７の下ヒンジ部材２３には上記ピン支持孔６８に挿着されて下ヒンジ支点９を形成するヒンジピン６９が設けられている。開閉枠１０の上ヒンジ部材６０には上方に突出するヒンジピン７０が設けられ、固定枠７の上ヒンジ部材８のヒンジ部４１には上記ヒンジピン７０を着脱可能に挿着保持して上ヒンジ支点９を形成する保持部７１が設けられている。即ち、開閉枠１０の上下ヒンジ部材６０，６４を固定枠７の上下ヒンジ部材８，２３に取付けることで形成される上下ヒンジ支点を回転中心として開閉枠１０が固定枠７に対して片開き可能に取付けられている。
【００１２】
そして、図４では省略しているが、裏機構板５３の裏面７２には、図１，２に示すような球供給管４の球出口部５に連なる球樋１１、球計数器７３を備えた払出機構７４、この払出機構７４から遊技機の前面に設けられる図外の皿への入口７５に繋がる球樋７６が取付けられている。また、遊技盤あるいは裏機構板５３の裏面７２には遊技機の制御装置（図示せず）が設けられている。すなわち、球計数器７３と制御装置とが開閉枠１０側に取付けられているので、球計数器７３と制御装置との信号配線が開閉枠１０の開閉の際に邪魔になったり断線したりするようなことがなくなる。特許文献１では球計数器１０６を備えた払出機構１０６Ａが固定枠１００に取付けられているので、遊技盤あるいは裏機構板の裏面、即ち、開閉枠１０９側に取付けられた制御装置と固定枠１００に取付けられた球計数器１０６との信号配線が開閉枠１０９の開閉の際に邪魔になったり断線したりするおそれがある。
【００１３】
図５に示す取付装置６は取付ベース６Ａと球供給管４が取付けられる取付部６Ｂとこの取付部６Ｂの位置を前後左右に調整するための位置調整手段６Ｃを備える。取付ベース６Ａは、固定枠７の上板１６の下面１６ｕに取付けられる取付面６ａと、この取付面６ａの後端より下方に垂直に延長する垂直部分６ｂと、この垂直部分６ｂの下端より後方に水平に延長する水平部分６ｄと、図５における水平部分の左縁より垂直に垂れ下がる側板６ｅと、側板６ｅの下端より水平に延長するよう設けられたシャッタ取付部６ｆとを備える。取付面６ａの側縁により上ヒンジ部材８の位置決め部８Ｘに接触する横位置合わせ部６Ｘが形成され、取付面６ａの前縁に設けられた立上り片により固定枠７の上板１６の前縁面１６Ｙに接触する前後位置合わせ部６Ｙが形成されている。従って、固定枠７の上板１６の前縁面１６Ｙに前後位置合わせ部６Ｙを形成する立上り片の後面６Ｙａを接触させ、かつ、上ヒンジ部材８の位置決め部８Ｘに横位置合わせ部６Ｘである側縁を接触させた状態で取付面６ａが固定枠７の上板１６の下面１６ｕに取付けられることで、取付装置６が固定枠７に取付けられている。尚、固定枠７の上板１６の前縁面１６Ｙは枠１７の前面１７ａより窪んだ位置に形成され、前後位置合わせ部６Ｙを形成する立上り片の前面６Ｙｂが枠１７の前面１７ａと同一面となるよう構成されているので、開閉枠１０を閉じた時の開閉枠１０と固定枠７との間の隙間が小さくでき、当該隙間を介して不正行為が行われにくいように構成されている。
【００１４】
取付部６Ｂは球補給樋２からの球供給管４の球出口部５の近傍を保持する下ホルダ７７とこの下ホルダ７７と離間して設けられて球供給管４の球出口部５の近傍より上流側を保持する上ホルダ７８とを備える。これらホルダにより、球供給管４の球出口部５を開閉枠１０の球樋１１の球入口部１２に導くようにしている。従って、球樋１１の球入口部１２の位置を自由に設定できる。例えば、開閉枠１０のヒンジ部材６０，６４が設けられた側とは反対側の側部に球樋１１を設けることが可能となる。そして、図１，２に示すように、開閉枠１０の裏面５４に、開閉枠１０のヒンジ部材６０，６４が設けられた側とは反対側の側部において上下に一直線状に延長するように球樋１１を設けることが可能となり、これにより、開閉枠１０の裏側の中央部分の遊技部品搭載スペースに多くの遊技部品を搭載することが可能となる。また、離間して設けられる上下ホルダ７７，７８を用いることにより、球供給管４の道程を自由に設定できるようになり、また、１つのホルダで球供給管４を導くよりコストを削減できる。
【００１５】
位置調整手段６Ｃは、図８に示すように、開口７９が形成された取付ベース６Ａの水平部分６ｄと、開口７９の横幅より長い横長孔８０が形成された取付ベース６Ａの垂直部分６ｂと、水平部分６ｄの開口７９の上に配置される前後移動部材８１と、横長孔８０を介して垂直部分６ｂの裏側から挿入され前後移動部材８１の上側に配置される横移動部材８２と、横移動部材８２の上に配置されて水平部分６ｄに取付けられるカバー８３と、前後移動部材８１に形成された保持孔８４に嵌着されるとともに横移動部材８２に形成された挟着孔８２ａに溝７８ｂが嵌まり込むことで挟着保持される上ホルダ７８（図１１参照）とで構成される。水平部分６ｄの外周縁には立上り片４２が設けられ、この立上り片４２に対応してカバー８３の三方外周縁にも立下がり片４３が設けられ、これにより、カバー８３の水平面４４と水平部分６ｄとの間に横移動部材８２の移動可能空間が形成される。図９，１０に示すように水平部分６ｄの立上り片４２には係止片８５，８５，８６が設けられ、この係止片８５，８５，８６に立下がり片４３が係止してカバー８３が着脱自在に取付けられる。カバー８３には開口７９に対応する開口８７と開口８７に沿って左右方向に延長するように形成されたスライド溝８８が形成されている。横移動部材８２のスライド部材８９がカバー８３のスライド溝８８に嵌め込まれて横移動部材８２がカバー８３に対して左右に移動可能となっている。取付ベース６Ａの垂直部分６ｂの裏面には取付手段としての横位置決めボス９０が設けられ、横移動部材８２の後縁にはこの横位置決めボス９０に対応する横長孔９０ａが形成された立上り片９１が設けられている。従って、横移動部材８２はスライド溝８８及びスライド部材８９を介して左右に移動可能で、横位置を調整した後に横長孔９０ａを介して取付ねじ９０ｂを横位置決めボス９０に締結することで任意の位置に固定される。横移動部材８２の裏面には前後移動部材８１の横方向の移動を規制するための立下がり片９２，９２が設けられ、これにより横移動部材８２の水平部９３と水平部分６ｄとの間に前後移動部材８１の移動空間が形成され、かつ、前後移動部材８１の横方向の移動を規制している。横移動部材８２の水平部９３の後部には取付手段としての前後位置決めボス９４が設けられ、前後移動部材８１の後部には間隔を隔てて設けられた２つのねじ固定片９５，９５が設けられている。従って、前後移動部材８１を前後に移動させると、保持孔８４に嵌着された上ホルダ７８が挟着孔８２ａ内をスライドするので上ホルダ７８の前後の位置を調整できる。調整後にねじ固定片９５，９５間を介して取付ねじ９５ａを前後位置決めボス９４に締結することでねじ固定片９５，９５が取付ねじ９５ａで固定されて前後移動部材８１を任意の前後位置に固定できる。従って、前後移動部材８１と横移動部材８２とを個別に調整することで上ホルダ７８の前後位置と横位置とを個別に調整できるので、上ホルダ７８の前後左右位置の調整が容易になる。
【００１６】
実施形態１では蛇腹状あるいはコイルスプリング状等に形成された球供給管４を使用しており、球供給管を曲げることができるので、基本的には上記位置調整手段６Ｃがなくてもよい。しかし、実施形態１でも球供給管４が極度に屈曲状態になる場合などは球の流れが悪くなるので、位置調整手段６Ｃで上ホルダ７８の位置を前後左右に調整することにより球供給管４の屈曲状態を補正できるという効果がある。また、球供給管４が曲がりにくいものである場合には位置調整手段６Ｃを設けることが好ましい。上記位置調整手段６Ｃは後述するように補給計数装置の球出口部に上ホルダ７８の位置を合わせる場合に特に効果を発揮する。
【００１７】
下ホルダ７７は、取付ベース６Ａの水平部分６ｄの横における垂直部分６ｂの下端に設けられた係合片６ｋ（図９，１０参照）に着脱可能に取付けられたホルダベース９６に形成されている。ホルダベース９６は段差付きの上板９７と球供給管４の球出口部５の近傍を保持する筒状の下ホルダ７７が形成されたホルダボックス９８とを備える。段差付きの上板９７の上方板２０１に形成された係合孔２０２と上方板２０１と下方板２０３との境目に形成された係合孔２０４とに上記係合片６ｋが挿入され、係合片６ｋに形成された図示しない係合フックが係合孔２０４に係止する。尚、６ｍは上方板２０１を下から支える支持片である。従って、ホルダベース９６を取付けた後は係合片６ｋを下側に移動しない限りホルダベース９６は外れないようになっている。下ホルダ７７の入口２０５に対応する側板６ｅの部分は開口２０６されている。
【００１８】
上記ホルダボックス９８の下側にシャッタ取付部６ｆが位置し、シャッタ取付部６ｆに下ホルダ７７の下開口２０７を開閉するシャッタ２１０が取付けられている。シャッタ２１０はシャッタ取付部６ｆに形成された回転中心軸取付部２１１に取付けられた回転中心軸２１２と、回転中心軸２１２に回転可能に取付けられたシャッタ部材２１３と、回転中心軸２１２に巻挿されて一端がシャッタ部材２１３に取付けられ他端がシャッタ取付部６ｆの固定部２１４に取付けられたコイルスプリング２１５とで構成される。シャッタ部材２１３はシャッタ片２２０を備える。シャッタ取付部６ｆにはシャッタ片２２０の回転をガイドするガイド溝２２１が形成され、シャッタ片２２０の上面にはガイド溝２２１に嵌まり込んでガイドされるガイド棒２２２が取付けられている。
【００１９】
従って、球供給管４を球出口部５側から上ホルダ７８内に挿入していって下ホルダ７７内に挿入して球供給管４の球出口部５を下ホルダ７７の球出口部ストッパ部２１６に突き当てる。上ホルダ７８の周囲７８ａの一部には固定片挿入孔２１７が形成されており、この固定片挿入孔２１７に弾性により入りこみかつ球供給管４の外周の溝４ａに嵌り込んで球供給管４を固定する固定部としての固定片２１８が上ホルダ７８の周面７８ａに止めねじ２１９等で取付けられている。したがって、固定片２１８を手で持って固定片挿入孔２１７から外しておき、球供給管４を上下ホルダ７８，７７内に挿入した後に固定片２１８を離すことで、固定片２１８が弾性で上ホルダ７８側に付勢して固定片挿入孔２１７に入り込んで溝４ａに嵌まり込むことで球供給管４が固定され、上ホルダ７８から外れないようになる。以上により、取付部６Ｂに球供給管４が取付けられる。
【００２０】
実施形態１による遊技機枠１では、開閉枠１０が閉じられた状態では、図１３に示すように、球樋１１によりシャッタ部材２１３のシャッタ片２２０が押されて球出口部５の下方に球樋１１の球入口部１２が連なるので、球補給樋２から球供給管４、球出口部５、球樋１１の球入口部１２、球樋１１、払出機構７４、球樋７６を経由する皿までの球流下経路が構成される一方、開閉枠１０が開かれた状態では、図１４に示すように、シャッタ片２２０がコイルスプリング２１５の弾性力で回転してシャッタ片２２０が下ホルダ７７に取付けられた球供給管４の球出口部５の下方を塞ぐので、球出口部５から球樋１１へ球が流れなくなる。特許文献１では受圧片１０３を長くしなければならず受圧片１０３が変形しやすいのでシャッタが正常に動作しなくなる可能性がある。つまり、シャッタが大型化し、かつ、耐久性に問題がある。一方、実施形態では、球樋１１でシャッタ２１０の開閉を直接的に行うので、受圧片として機能するシャッタ片２２０を短くできるため、シャッタ２１０を小型化できるとともにシャッタ２１０の耐久性が向上するので、動作信頼性の高い遊技機枠が得られる。
【００２１】
固定枠７はＬ型金具１８、上下ヒンジ部材８，２３、幕板２２によって下板１３の両端と左右側板１４，１５の下端、および上板１６の両端と左右側板１４，１５の上端とが互いに正確に９０度の角度を保って連結されて額縁状に形状保持されているので、上ヒンジ支点９を形成する保持部７１を基準として遊技機の遊技部品の取付位置が決められる。従って、実施形態１によれば、上ヒンジ支点９を形成する保持部７１を備えた固定枠７の上ヒンジ部材８に設けた位置決め部８Ｘ及び固定枠７の上板１６の前縁面１６Ｙに対して取付装置６を位置決めした状態で固定枠7の上板１６の下面１６ｕに取付けたので、上記基準に対する球出口部５の取付位置精度を良くでき、球出口部５と開閉枠１０に取付けられた球通路としての球樋１１の球入口部１２との合わせを良くできる。また、貯留タンク及び整列タンクを無くした構成としたので、整列タンク内での球つまりを解消できる。
【００２２】
尚、取付装置６の取付面６ａの後縁に立上り片を設けてこれを前後位置合わせ部として用いこの前後位置合わせ部を固定枠７の上板１６の後縁面に接触させて取付けてもよい。
また、取付面６ａの前縁に立ち下がり片を設けてこれを前後位置合わせ部として用い、取付面６ａを固定枠７の上板１６の上面に取付けるようにしてもよい。但し、この場合、固定枠７の上部と遊技機設置設備との間に隙間が生じるので、不正防止のためにこの隙間をなんらかの手段で埋めることが望ましい。
【００２３】
実施形態２
実施形態１では球供給管４を取付部６Ｂに直接取付けることができるので、補給計数装置は不用である。しかし、補給計数装置を取外すことは煩雑であるので、補給計数装置をそのまま流用してもよい。この際、図１５に示すように、各遊技機枠に対応して遊技機設置設備の横梁３００に取付けられている補給計数装置３０１の遊技機枠１に対する取付位置はばらばらであり、上ホルダ７８の位置を補給計数装置３０１の球出口部の位置に合わせなくてはならなない。本願では、位置調整手段６Ｃを備えているので、上ホルダ７８の位置を補給計数装置の球出口部に合うように調整することは容易である。従って、補給計数装置３０１を取付け直すことなく、補給計数装置３０１の球出口部に連ならせる球通路の球入口部の位置を補給計数装置の球出口部に簡単に合わせることができるようになる。この場合、上ホルダ７８と下ホルダ７７とに蛇腹状あるいはコイルスプリング状等に形成された球通路部材を予め取付けておき、この球通路部材を補給計数装置３０１の球出口部に接続してから固定片２１８で球通路部材の位置を固定すればよい。つまり、補給計数装置３０１の球出口部と上ホルダ７８の上端との間に距離があるときには、球通路部材を上ホルダ７８より上方に移動させて補給計数装置３０１の球出口部に接続してから固定片２１８で球通路部材の位置を固定することにより、補給計数装置３０１の球出口部に球通路部材を確実に接続できる。即ち、球通路部材の上下位置調整が行える。
【００２４】
実施形態３
実施形態１，２では固定枠７の上ヒンジ部材８の位置決め部８Ｘに取付装置６の横位置合わせ部６Ｘを接触させて取付装置の取付に際しての左右位置を決めるようにしたが、図１６に示すように位置決め部８Ｘを備えない通常の上ヒンジ部材１０７を備えた固定枠７の上板１６に取付装置６を取付けるようにしてもよい。この場合でも、前後位置合わせ部６Ｙを固定枠７の上板の前縁面１６Ｙに接触させて取付けることができるので、特許文献１に比べて取付装置６の前後の取付位置精度が向上し、かつ、位置調整手段６Ｃを備えているので、上ホルダ７８の位置を補給計数装置３０１の球出口部に合うように調整することが可能となる。
【産業上の利用可能性】
【００２５】
固定枠７の上板１６に対する取付装置の取付位置を予め割り出しておいて位置合わせ部を備えない取付装置を固定枠７の上板１６に取付けるようにしてもよい。この場合、特許文献１に比べて取付装置の取付位置精度が向上するわけではないが、位置調整手段６Ｃを備えていれば、上ホルダ７８の位置を補給計数装置３０１の球出口部に合うように調整することが可能となる。
【図面の簡単な説明】
【００２６】
【図１】本発明の実施形態１による遊技機枠において開閉枠を閉じた状態を遊技機枠の裏側から見た斜視図。
【図２】開閉枠を開いた状態を遊技機枠の裏側から見た斜視図。
【図３】固定枠と固定枠に取付けられるヒンジ部材との関係を固定枠の前側から見た分解斜視図。
【図４】開閉枠と開閉枠に取付けられるヒンジ部材との関係を開閉枠の裏側から見た分解斜視図。
【図５】取付装置の斜視図。
【図６】取付装置が取付けられた固定枠を裏側から見た図。
【図７】位置決め部の拡大図。
【図８】位置調整手段の分解斜視図。
【図９】取付装置の平面図。
【図１０】取付装置の底面図。
【図１１】図９のＡ−Ａ断面図。
【図１２】図９のＢ−Ｂ断面図。
【図１３】開閉枠が閉じられた状態における球出口部と球入口部とシャッタとの関係を示す側面図。
【図１４】開閉枠が開かれた状態における球出口部と球入口部とシャッタとの関係を示す側面図。
【図１５】実施形態２による遊技機枠において開閉枠を閉じた状態を遊技機枠の裏側から見た斜視図。
【図１６】実施形態３による遊技機枠において開閉枠を閉じた状態を遊技機枠の裏側から見た斜視図。
【図１７】従来の遊技機枠において開閉枠を開いた状態を遊技機枠の裏側から見た斜視図。
【符号の説明】
【００２７】
２  球補給樋、４  球供給管（球通路）、５  球供給管の球出口部、
６  取付装置、６Ａ  取付ベース、６Ｂ  取付部、６Ｃ  位置調整手段、
６Ｘ  横位置合わせ部、６Ｙ  前後位置合わせ部、７  固定枠、８  上ヒンジ部材、
８Ｘ  位置決め部、９  ヒンジ支点、１０  開閉枠、１１  球樋、
１２  球樋の球入口部、１６  固定枠の上板、１６Ｙ  上板の前縁面、
１６ｕ  上板の下面、７３  球計数器、７７  下ホルダ、７８  上ホルダ、
８１  前後移動部材、８２  横移動部材、９０  横位置決めボス（取付手段）、
９４  前後位置決めボス（取付手段）、２１０  シャッタ、２１８  固定片（固定部）。
【図１】
2005087479.tif 000003
【図２】
2005087479.tif 000004
【図３】
2005087479.tif 000005
【図４】
2005087479.tif 000006
【図５】
2005087479.tif 000007
【図６】
2005087479.tif 000008
【図７】
2005087479.tif 000009
【図８】
2005087479.tif 000010
【図９】
2005087479.tif 000011
【図１０】
2005087479.tif 000012
【図１１】
2005087479.tif 000013
【図１２】
2005087479.tif 000014
【図１３】
2005087479.tif 000015
【図１４】
2005087479.tif 000016
【図１５】
2005087479.tif 000017
【図１６】
2005087479.tif 000018
【図１７】
2005087479.tif 000019